(57)【特許請求の範囲】
【請求項１】
揮散性の薬剤を含有する流動性を有するオイルゲルが、少なくとも一部を透過性のポリマーフィルムで構成した容器内に収容され、前記薬剤が前記ポリマーフィルムを介して加熱揮散される取り替え式物品にして、
前記オイルゲルは、液状確認試験において、３０ｍｍの移動時間が９０秒〜２４時間の流動性を有することを特徴とする取り替え式物品。
【発明の詳細な説明】
【０００１】
【発明の属する技術分野】
この発明は、薬剤徐放性製剤および取り替え式物品に関し、特に、香料、抗菌剤、その他、同様の揮散性薬剤を長期間に亘って徐放させる製剤および取り替え式物品に関する。
【０００２】
【従来の技術】
従来より、芳香剤の香りなどの薬剤効果の持続性を得るために、揮散性の薬剤を徐放させる製剤として、パルプ、シリカゲルなどの繊維質、多孔質の物質を担体として、これらに薬剤を含浸させたもの、薬剤をシリカなどによってゾル化したもの、その他、ゲル化剤でゲル化したものが知られている。
【０００３】
【発明が解決しようとする課題】
含浸タイプやゾルタイプの薬剤徐放性製剤は、ゲルタイプのものに比べて、薬剤の保留効果が弱いため、薬剤中の揮散し易い成分が使用初期に際立って揮散し、薬剤の揮散速度が速くなる。その結果、望む期間に亘って薬剤を徐放させることができなかったり、揮散の初期と後期とで揮散成分が著しく変化するなど、長期間に亘って一定に徐放させることができない。
【０００４】
従来のゲルタイプの薬剤徐放性製剤は、液状確認試験において流動性の全くないゲルで製剤化したものであるため、使用初期に揮散面より多量の薬剤が揮散し、揮散面だけが乾燥して揮散面が乾燥皮膜によって覆われ、薬剤を内部に保有したまま、揮散が終了してしまうと云う現象が生じる。このため、従来のゲルタイプの薬剤徐放性製剤では、薬剤を最後まで揮散させることができず、全ての薬剤を長期間に亘って一定に徐放させることが困難であり、しかも、薬剤徐放終了の見極めが極めて難しい。
【０００５】
この発明は、上述の如き問題点を解消するためになされたもので、薬剤残量の視認性に優れた薬剤徐放性製剤および取り替え式物品を提供することを目的としている。
【０００６】
【課題を解決するための手段】
上述の目的を達成するために、この発明による薬剤徐放性製剤は、揮散性の薬剤を含有した内容物が、液状確認試験において３０ｍｍの移動時間が９０秒〜２４時間の流動性を有するゲルの形態を有する。
【０００７】
この薬剤徐放性製剤によれば、薬剤を含有する内容物のレベルによって薬剤残量を容易に視認することができる。また薬剤徐放終了の見極めが容易である。
またこの薬剤徐放性製剤は好ましくは、香料等の揮散性薬剤を長期間に亘って一定の徐放量を維持できる。より詳細には、この薬剤徐放性製剤は流動性を有するゲルであるから、好ましくは薬剤の徐放に伴って揮散表面が移動し、揮散表面が乾燥することがなく、長期間に亘って一定量の薬剤を揮散できる。
この薬剤徐放性製剤は、後述の液状確認試験において、９０秒〜１２時間、より好ましく９０秒〜３０分のわずかな流動性を有するゲルであるのが好ましい。
このゲルは、オイルゲルであるのがさらに好ましい。
この薬剤徐放性製剤は、加熱揮散型芳香消臭剤として使用されうる。
【０００８】
前記薬剤徐放性製剤は、透過性のポリマーフィルムを介して揮散させるのが好ましい。
これにより、薬剤揮散速度を、ポリマーフィルムの材質、密度、膜厚によって制御することができる。
前記薬剤徐放性製剤は加熱揮散させるのが好ましい。これにより長期間（例えば１．５ヶ月以上）の徐放が可能となる。
薬剤を加熱揮散させることが好ましい理由として、常温で揮散しづらい薬剤中の成分を効果的に揮散させること、ならびに薬剤を室内などの空間に素早くかつ効果的に揮散させることが出来ること、などが挙げられる。
【０００９】
また、上述の目的を達成するために、この発明による取り替え式物品は、揮散性の薬剤を含有した内容物が流動性を有するゲルであり、少なくとも一部を透過性のポリマーフィルムで構成した容器に当該内容物が収容されているものである。
【００１０】
【発明の実施の形態】
この発明による薬剤徐放性製剤は、揮散性薬剤をゲル化剤によって、わずかな流動性を有するオイルゲルにしたものであり、ゲル化剤は、液状確認試験において３０ｍｍの移動時間が９０秒〜２４時間、好ましくは９０秒〜１２時間、より好ましく９０秒〜３０分の流動性を有するゲルを調製できるものであればよい。なお、上記「オイルゲル」は、下記の二つの条件を満たすものをいう。第１に、その物質は、二つ以上の成分から構成され、その成分の一つが大量に存在する液体であり、その液体が有機溶剤で構成される。第２に、その物質は、柔軟物か固形物、あるいは固形物様の形状をしている。
【００１１】
上述の要件を満たすゲル化剤としては、具体的には、ワックスでは、カスターワックス、カルナバワックス、硬化油脂など、脂肪酸誘導体および金属石けんでは、ステアリン酸ナトリウム、ステアリン酸アルミニウム、２−エチルヘキサン酸アルミニウム、１２−ヒドロキシステアリン酸など、ポリマーでは、スチレン−ブタジエンブロックコポリマー、スチレンポリマー、ジビニルベンゼンポリマー、ポリ−１，２−ブタジエン、シリコーン樹脂など、アミノ酸誘導体ではＮ−ラウロイルグルタミン酸ジブチルアミドなど、粘土鉱物ではスメクタイト、モンモリロナイトなど、その他のゲル化剤では、ジベンジリデンソルビトール、ジアルキルリン酸アルミニウムが挙げられる。中でも２−エチルヘキサン酸アルミニウムが好ましい。
【００１２】
また、揮散面を透過性のポリマーフィルムで覆うことで、薬剤の揮散速度を自在に調節することが可能である。ポリマーフィルムの材質は、ポリエチレンまたはポリプロピレンが好ましい。このポリマーフィルムは、必ずしも一層で形成する必要はなく、複数層で形成してもよい。また、揮散速度を調節するために、薬剤の透過性の低いアルミニウム、ポリエチレンテレフタレートなどの層を重ねてもよい。ポリマーフィルムの膜厚は、全体で１０〜３００μｍぐらいが好ましい。
【００１３】
また、ゲル化された薬剤を揮散面を開放した不透過性容器に入れることで、揮散方向を調節することが可能になる。不透過性容器の材質としては、ポリエチレンテレフタレート、エチレンビニルアルコールコポリマー、エチレン酢酸ビニルコポリマー、アルミなどが好ましい。不透過性容器は、必ずしも一層で形成する必要はなく、複数層で形成してもよい。
【００１４】
さらに、製剤の内容物を加熱することで、揮散速度を調節し、常温では揮散しづらい薬剤を揮散させることも可能である。加熱温度としては、３５℃〜７０℃ぐらいが好ましい。
【００１５】
上記薬剤としては、香料、植物精油、揮散性消臭剤、抗菌性薬剤などがあり、常温ならびに加温したときに揮散性のあるものであれば、何でもよい。また揮散速度をコントロールするため、あるいは揮散性薬剤濃度を調整する目的で溶剤又は水を加えても良い。より詳細には、以下の通りである。
【００１６】
香料は単体香料ならびに調合香料でもかまわない。具体的には、α−ピネン、β−ピネン、リモネン、リナロール、ゲラニオール、α-ファルネセン、β-ファルネセン、α-グアイエン、d-グアイエン、α-カリオフィレン、β-カリオフィレン、d-カジネン、g-カジネン、α-ビザボレン、β-ビザボレン、g-ビザボレン、α-セドレン、β-セドレン、バレンセン、ツヨプセン、ファルネソール、ネロリドール、α−ビザボロール、β−カリオフィレンアルコール、α−サンタロール、β−サンタロール、ベチベロール、セドロール、エチルヘキサノエート、 ラクトンＣ−１０ガンマ、シス−３−ヘキセノール、アルコールＣ−６、リナロール、リナリルアセテート、 ゲラニオール、ベンジルアルコール、ターピネオール、メチルヨノンなどがある。
植物精油では、セージオイル、ペパーミントオイル、スペアミントオイル、レモンオイル、レモングラスオイル、オレンジオイル、ローズマリーオイル、ラベンダーオイル、バジルオイル、ベルガモットオイル、シトロネラオイル、クローブオイル、コリアンダーオイル、ユーカリオイル、ゼラニウムオイル、ジンジャーオイル、グレープフルーツオイル、ヒバオイル、ヒノキオイル、ラバンジンオイル、タイムオイル、イランイランオイル、ライムオイル、シナモンリーフオイル、ハッカハクユ、アニスオイル、プチグレンオイル、ローレルオイル、パインオイルなどがある。
【００１７】
揮散性消臭剤では、特開平６−１２１８２２記載のピルビン酸エチル、ピルビン酸フェニルエチルなどのピルビン酸エステルがある。
抗菌性薬剤では、ヒノキチオール、アリルチオイソシアネートなどがある。
【００１８】
また、有機溶剤では、灯油、軽油、パラフィン系炭化水素、イソパラフィン系炭化水素、芳香族炭化水素、芳香族アルコール、シリコンオイル、サラダ油、大豆油、ノルマルデカン、ノルマルトリデカン、ノルマルヘキサデカン、イソオクタン、イソドデカン、シクロヘキサン、トルエン、キシレン、メタノール、エタノール、１−プロパノール、イソプロパノール、１−ブタノール、オレイルアルコール、ベンジルアルコール、ジプロピレングリコールモノメチルエーテル、３−メチル−３−メトキシブタノール、リノール酸などが挙げられる。
【００１９】
図１、図２はこの発明による揮散性薬剤の取り替え式物品（カートリッジ又はリフィルとも称される。）を加熱揮散型芳香消臭剤の取り替え式物品として適用した実施の形態を示している。取り替え式物品１０は、ポリエチレンテレフタレート（ＰＥＴ）等の不透過性樹脂により構成された深皿形状の容器本体１１と、容器本体１１の開口部を塞ぐように容器本体１１に貼り付けられた透過性のポリマーフィルム１２と、ポリマーフィルム１２の外表面に剥離可能に貼り合わせられたアルミニウム薄膜等の不透過性の保護シート１３とにより構成され、ポリマーフィルム１２により閉じられた容器本体１１内に、揮散性の薬剤（調合香料）を含有した流動性を有するゲル組成物１４が充填収容されている。
【００２０】
加熱揮散型芳香消臭剤としてのゲル組成物１４としては、配合組成(重量％)が、香料４０．０％、イソパラフィン系炭化水素（溶剤）５４．０％、２−エチルヘキサン酸アルミニウム（ゲル化剤）６．０％のものを使用できる。
【００２１】
ゲル組成物１４はポリマーフィルム１２と接触し、ポリマーフィルム１２がゲル組成物１４の揮散面となっている。取り替え式物品１０は、ポリマーフィルム１２の外表面に貼り合わせられている不透過性の保護シート１３が剥がされることにより、揮散開始状態になる。
【００２２】
ポリマーフィルム１２は、線状低密度ポリエチレン（ＬＬＤＰＥ）等により構成され、保護シート１３を剥がされた使用過程で、外側より内容物の残分を視認できるよう、透明若しくは半透明フィルムであることが好ましい。
なお、容器本体１１は、球面形状等の減圧変形に強い底形状になっている。
【００２３】
上述のゲル組成物１４と、ゲル組成物１４の揮散面をなすポリマーフィルム１２との組み合わせにより、１ヶ月〜２ヶ月の長期間の徐放が可能になり、ゲル組成物１４が流動性を有していることから、配合した薬剤を最後まで香調の変化を伴うことなく安定して揮散でき、しかも、残分を正確に視認できる。
なお、徐放条件としては、ゲル組成物５ｇをポリエチレンテレフタレート（ＰＥＴ）で成型した容器に入れ、揮散面（面積１０ｃｍ２）を厚さ１００μｍの線状低密度ポリエチレン（ＬＬＤＰＥ）フィルムで覆い、容器を５０℃に加熱した。
【００２４】
また、ゲル組成物１４は場合によっては、加熱されることにより、容器内で対流を生じ得る。この対流は容器内におけるゲル組成物１４の移動を助長し、長期間の均一揮散性を保証し得る。
【００２５】
図３は加熱揮散型芳香消臭剤の取り替え式物品１０を使用するプラグイン式加熱芳香具の構成例を示している。プラグイン式加熱芳香具２０は、取り替え式物品１０を立てた姿勢で交換可能に収容する容器収容室２１を画定した器具ケース２２および表カバー２３と、器具ケース２２に取り付けられて取り替え式物品１０を容器底部側から加熱するＰＴＣヒータ２４と、器具ケース２２に取り付けられ、導体２５等によりＰＴＣヒータ２４の電極と導通接続されたコンセントプラグ２６とを有し、コンセントプラグ２６によってコンセントに直接装着される。
【００２６】
表カバー２３には開口部２７が形成されており、外部（前方）より容器収容室２１内の取り替え式物品１０のポリマーフィルム１２の面が見えるようになっている。これにより、プラグイン式加熱芳香具２０がコンセントに接続された状態で、透明なポリマーフィルム１２を通して取り替え式物品１０内のゲル組成物１４の残量を視認することができる。
【００２７】
【実施例】
本発明の薬剤徐放性製剤を次のようにして形成した。
【００２８】
〈薬剤徐放性製剤の調製〉
（実施例１）
香料Ａの２０．０ｇとＩＰソルベント２０２８の２６．５ｇとを混合し、均一な溶液にした後、ＴＦＡ（２−エチルヘキサン酸アルミニウム）３．５ｇを攪拌しながら少量ずつ添加した。一晩放置し、流動性のあるゲル５０．０ｇを得た（液状確認試験結果：３００秒／３０ｍｍ）。このうち５ｇをＰＥＴで成型した容器に入れ、揮散面（面積１０ｃｍ２  ）を厚さ１００μｍのＬＬＤＰＥフィルムで覆い、容器を５０℃に加熱して重量変化を測定した。さらに、におい強度ならびに香調の変化を官能評価によって確認した。これらの結果を表１〜３に示す（下記参照）。
【００２９】
（実施例２）
香料Ａの２０．０ｇとＩＰソルベント２０２８の２６．５ｇとを混合し、均一な溶液にした後、ＤＡＰ（ジアルキルリン酸アルミニウム）３．５ｇを攪拌しながら少量ずつ添加した。一晩放置し、流動性のあるゲル５０．０ｇを得た（液状確認試験結果：１５０秒／３０ｍｍ）。このうち５ｇを実施例１と同様に製剤化し、実施例１と同一条件にて重量変化を測定した。さらに、におい強度ならびに香調の変化を官能評価によって確認した。これらの結果を表１〜３に示す（下記参照）。
【００３０】
（比較例１）
香料Ａの２０．０ｇとＩＰソルベント２０２８の３０．０ｇを混合し、均一な溶液５０．０ｇを得た（液状確認試験結果：液体と判定）。このうちの５ｇを実施例１と同様に製剤化し、実施例１と同一条件にて重量変化を測定した。さらに、におい強度ならびに香調の変化を官能評価によって確認した。これらの結果を表１〜３に示す（下記参照）。
【００３１】
（比較例２）
ＩＰソルベント２０２８の２６．０ｇに１２−ＨＳＡ（１２−ヒドロキシステアリン酸）４．０ｇを加え、７０℃まで加熱し１２−ＨＳＡを溶解させ、均一な溶液を調製した。そこに香料Ａ  ２０．０ｇを加えゲル５０．０ｇを得た（液状確認試験結果：流動性なし）。このうちの５ｇを実施例１と同様に製剤化し、実施例１と同一条件にて重量変化を測定した。さらに、におい強度ならびに香調の変化を官能評価によって確認した。これらの結果を表１〜３に示す（下記参照）。
〈薬剤徐放性製剤に用いた成分〉
香料Ａは、下表に示す調合香料１を６０重量部、リモネンを４０重量部混合したものである。
0003676252.tif 000002
【００３２】
前記ＴＦＡ等の詳細は、以下の通りである。
ＴＦＡ：大洋香料株式会社製商品の名称。２−エチルヘキサン酸アルミニウム。
ＤＡＰ：アルキル基の炭素鎖数が１６であるジアルキルリン酸アルミニウム。
１２ＨＳＡ：１２−ヒドロキシステアリン酸（東京化成工業株式会社製）。
ＩＰソルベント２０２８：出光石油化学株式会社製商品の名称。イソパラフィン系炭化水素。
【００３３】
〈薬剤徐放性製剤に用いたポリマーフィルム、容器〉
ＬＬＤＰＥ：無色透明の線状低密度ポリエチレン。
ＰＥＴ：無色透明のポリエチレンテレフタレート。
【００３４】
〈液状確認試験方法〉
前記に於ける液状確認方法は、「消防法：危険物の規制に関する規則第六十九条の二」に記載されている手法に従う。
具体的には、垂直にした試験管（内径３０ｍｍ、高さ１２０ｍｍの平底円筒型のガラス製のものとする。以下「試験管」という。）に、物品を試験管の底からの高さが５５ｍｍとなるまで入れ、当該試験管を水平にした場合に、当該物品の移動面の先端が、試験管の底からの距離が８５ｍｍの部分を通過するまで時間を測定し記録する。この測定結果が９０秒以内であるものを「液状」と判断する。なお、測定温度は２０℃±０．１℃に設定する。
【００３５】
〈におい強度評価〉
排気が可能であり、且つ十分空調設備が整った、横１．５ｍ、縦２ｍ、高さ２．５ｍの空間の中心に、評価する薬剤徐放性製剤を入れた加熱ヒータ付き温めホルダー（図３参照）を設置した。
【００３６】
一定時間毎のにおいの強さを３０歳代の男性５人及び女性５人のパネラーが直接においを嗅ぐ。そして、そのときの強度の感じ方を、悪臭防止法における基準値の設定のための評価尺度として使われる、下に示す六段階臭気強度尺度（「三訂版  ハンドブック  悪臭防止法」（悪臭法令研究会  編集；株式会社ぎょうせい  発行）ｐ４８参照）に基づき数値化し、平均点を求めた。
六段階臭気強度表示法
０：無臭
１：やっと感知できるにおい（検知閾値濃度）
２：何のにおいであるかがわかる弱いにおい（認知閾値濃度）
３：らくに感知できるにおい
４：強いにおい
５：強烈なにおい
【００３７】
〈香調評価〉
上述したにおい強度評価時に香調の変化も同時に評価した。より詳細には香調評価のために、標準となる薬剤徐放性製剤を評価毎に調製した。そして、評価空間とは別の排気が可能であり、かつ十分空調設備が整った、横１．５ｍ、縦２ｍ、高さ２．５ｍの空間に中心に、標準となる薬剤徐放性製剤を入れた加熱ヒータ付き温めホルダーを設置し、評価する製剤と比較した。
【００３８】
表１は、薬剤徐放性製剤の徐放性試験を加熱面温度５０℃で行った時の、薬剤徐放性製剤の重量変化データとしての残存量（％）を示す。
【表１】
0003676252.tif 000003
【００３９】
表２は、前記徐放性試験における（薬剤徐放性製剤の）におい強度変化を示す。
【表２】
0003676252.tif 000004
【００４０】
表３は、前記徐放性試験における（薬剤徐放性製剤の）香調変化を示す。なお、○印は変化なし、△印はわずかな変化あり、×印は変化あり、−印は、におい強度が低いため確認不能を示している。
【表３】
0003676252.tif 000005
【００４１】
図４，図５は、表１，表２をグラフ化したものである。
図４に示すように、実施例１、２のわずかな流動性を持つゲル薬剤徐放性製剤では、重量変化がほぼ一定であり、揮散成分である香調が徐放されることが分かる（実施例１：○印、実施例２：△印）。
【００４２】
また、図５に示すように、実施例１、２の薬剤徐放性製剤では、徐放日数に伴ってにおい強度が徐々に弱くなっているが、５０日後も十分に香りが認知できる。
また、表３に示すように、徐放期間中の香調の変化も少ない。
【００４３】
一方、図４に示すように、比較例１の液体状薬剤徐放性製剤の場合（*印）、上記徐放試験中の揮散速度が、実施例１、２と比べ速く、長期間香りを持たせることができない。また、図５に示すように、同製剤の場合、徐放初期の強度は強いが、１０日過ぎより極端に強度が下がる。表３に示すように、これに伴って徐放期間中の香調も著しく変化する。
【００４４】
また図４に示すように、比較例２に記載した流動性の無いゲル薬剤徐放性製剤（×印）では、２０日辺りから重量減少速度が遅くなる。しかし、徐放性製剤の残分があるにもかかわらず、図５に示されているように、３０日過ぎよりにおい強度が下がってくる。これは、揮散面からのみ薬剤を揮散、乾燥するため、徐放性製剤内部に取り込まれている薬剤を揮散し尽くすことができないからである。このような製剤の場合、揮散終点を視認することができない。
以上説明したように、この実施例の薬剤徐放性製剤によれば、ゲルの流動性を有するために、配合した薬剤を最後まで徐放でき、残存分を視認することができる。
また、この実施例の薬剤徐放性製剤によれば、その特有の配合組成及びポリマーフィルム構成により、揮散初期と終期との香調の変化を小さくすることができる。
また、この実施例の薬剤徐放性製剤によれば、揮散性の薬剤を長期間に亘って一定に徐放させることができる。より詳細には、この実施例の薬剤徐放性製剤によれば、その特有の配合組成及びポリマーフィルム構成並びに、加熱揮散の組み合わせにより、長期間（１．５ヶ月以上）の徐放を可能とすることができる。
【００４５】
【発明の効果】
以上の説明から理解される如く、この発明によれば、薬剤残量の視認性に優れた薬剤徐放性製剤および取り替え式物品を提供することができる。
【図面の簡単な説明】
【図１】この発明による取り替え式物品の一つの実施の形態を示す斜視図である。
【図２】この発明による取り替え式物品の一つの実施の形態を示す断面図である。
【図３】この発明による取り替え式物品を使用するプラグイン式加熱芳香具の構成例を示す断面図である。
【図４】薬剤徐放性製剤の重量変化を示すグラフである。
【図５】薬剤徐放性製剤のにおい強度変化を示すグラフである。
【符号の説明】
１０  取り替え式物品
１１  容器本体
１２  ポリマーフィルム
１３  保護シート
１４  ゲル組成物
２０  プラグイン式加熱芳香具
２１  容器収容室
２４  ＰＴＣヒータ
【図１】
0003676252.tif 000006
【図２】
0003676252.tif 000007
【図３】
0003676252.tif 000008
【図４】
0003676252.tif 000009
【図５】
0003676252.tif 000010